(57)【要約】【課題】本発明は、通気機能、結露防止機能、断熱機能、防水機能、等を向上した通気壁構造に係るものである。【解決手段】下地αと外壁材Ａ間に通気層γを形成した通気壁構造において、垂直平面状の固定面１１と、固定面１１の上端を屋内Ｎ側へ略平行に突出した突出面１２と、突出面１２に複数個形成した通気孔１３と、固定面１１の上端をさらに上方に突出した上面１４と、固定面１１あるいは上面１４の一部を屋外Ｇ側で下方に傾斜して突出した傾斜面１５と、傾斜面１５の先端を上方に突出すると共に上面１４の上端よりも上方に突出した上片１７と、上片１７の根本に複数個形成した吸・排気孔１８と、傾斜面１５の先端を下方に突出した下片１９と、下片１９の下端を屋内Ｎ側で下方に傾斜して突出した傾斜化粧面２０と、傾斜化粧面２０の先端を上方に突出した受け面２１とから形成した長尺状の通気止縁１０を通気層γの屋外Ｇ側上端に形成した通気壁構造である。【選択図】図４
2010281170.tif 000002
【特許請求の範囲】
【請求項１】
下地と外壁材間に通気層を形成した通気壁構造において、垂直平面状の固定面と、固定面の上端を屋内側へ略平行に突出した突出面と、突出面に複数個形成した通気孔と、固定面の上端をさらに上方に突出した上面と、固定面あるいは上面の一部を屋外側で下方に傾斜して突出した傾斜面と、傾斜面の先端を上方に突出すると共に上面の上端よりも上方に突出した上片と、上片の根本に複数個形成した吸・排気孔と、傾斜面の先端を下方に突出した下片と、下片の下端を屋内側で下方に傾斜して突出した傾斜化粧面と、傾斜化粧面の先端を上方に突出した受け面とから形成した長尺状の通気止縁を通気層の屋外側上端に形成したことを特徴とする通気壁構造。
【発明の詳細な説明】
【技術分野】
【０００１】
本発明は、放湿機能、結露防止機能、断熱機能、防水機能、等を向上した通気壁構造に係るものである。
【背景技術】
【０００２】
壁体内が密閉状態の場合、水蒸気の逃げ場が無く、外気温度が低いと外壁材裏面や壁体内に結露が発生する。そこで、壁体内の水蒸気を外気に排出して内部結露を防止したり、土台や柱が吸収した水分を外気に排出するために、外壁材と躯体間に厚さ２０ｍｍ程度の空気層（通気層）を設ける工法、所謂通気工法が開発された。本来、通気工法とは、壁内結露防止のための工法である。（例えば、特許文献１〜６参照）。
【先行技術文献】
【特許文献】
【０００３】
【特許文献１】特開平０９−１１９１７５号公報
【特許文献２】特開平０９−１４４１５２号公報
【特許文献３】特開平１１−２４１４２７号公報
【特許文献４】特開平１１−２９３８０１号公報
【特許文献５】特開２０００−２９１１６９号公報
【特許文献６】特開２００３−３２８４６０号公報
【発明の概要】
【発明が解決しようとする課題】
【０００４】
しかしながら、特許文献１〜６は湿気を排出するが、外気が外壁材の裏面を通過するために、外壁材に断熱性のある部材を形成しても断熱材としての効果を発揮出来ず断熱材として機能しないものであるとされていた。勿論、住宅の外壁の断熱性を計算する上でも断熱性が無いものとされていた。また、通気層内を動く空気の量は、外の風によって大きく変化するものであり、特に風が強い場合には通気量が多くなり、断熱性のある外壁材を使用しても、効率の良い断熱性を発揮出来ない欠点があった。このため、風が強い場合でも通気層内の通気量を抑制することが大きな課題であった。
【課題を解決するための手段】
【０００５】
本発明はこのような欠点を解決するために、下地と外壁材間に通気層を形成した通気壁構造において、垂直平面状の固定面と、固定面の上端を屋内側へ略平行に突出した突出面と、突出面に複数個形成した通気孔と、固定面の上端をさらに上方に突出した上面と、固定面あるいは上面の一部を屋外側で下方に傾斜して突出した傾斜面と、傾斜面の先端を上方に突出すると共に上面の上端よりも上方に突出した上片と、上片の根本に複数個形成した吸・排気孔と、傾斜面の先端を下方に突出した下片と、下片の下端を屋内側で下方に傾斜して突出した傾斜化粧面と、傾斜化粧面の先端を上方に突出した受け面とから形成した長尺状の通気止縁を通気層の屋外側上端に形成した通気壁構造を提供するものである。
【発明の効果】
【０００６】
本発明に係る通気壁構造によれば、通気止縁を通気層の屋外側上端に形成したために、（１）通気層の外側に位置する外壁材が断熱材として機能する。（２）外壁材の断熱性により、通気層、外壁材の裏面および壁内の温度が高く保持され、より内部結露の発生が抑えられる。（３）通気止縁の形成により、風が強い場合でも通気層内に強風が吹き込むことを抑制し、通気層内の通気量を一定に保つことが出来る。等の特徴、効果がある。
【図面の簡単な説明】
【０００７】
【図１】本発明に係る通気壁構造の代表的一例を示す説明図である。
【図２】本発明に係る通気壁構造の代表的一例を示す説明図である。
【図３】本発明に係る通気壁構造の代表的一例を示す説明図である。
【図４】本発明に係る通気壁構造の代表的一例を示す説明図である。
【図５】本発明に係る通気壁構造の代表的一例を示す説明図である。
【図６】本発明に係る通気壁構造に使用する通気止縁の一例を示す説明図である。
【図７】本発明に係る通気壁構造に使用する通気止縁の一例を示す説明図である。
【図８】本発明に係る通気壁構造に使用する外壁材の代表的一例を示す説明図である。
【図９】本発明に係る通気壁構造に使用する通気止縁のその他の実施例を示す説明図である。
【図１０】本発明に係る通気壁構造のその他の実施例を示す説明図である。
【図１１】本発明に係る通気壁構造のその他の実施例を示す説明図である。
【発明を実施するための形態】
【実施例】
【０００８】
以下に図面を用いて本発明に係る通気壁構造について詳細に説明する。図１〜図５は本発明に係る通気壁構造を示す断面図、図６（ａ）、（ｂ）、図７（ａ）〜（ｃ）は本発明に係る通気壁構造に使用する通気止縁１０を示す説明図、図８（ａ）〜（ｄ）は外壁材Ａを示す説明図である。図中、αは下地、βは釘等の固定具、γは通気層を示している。
【０００９】
下地αは、内装材１、ポリエチレンシート等の防湿層２、主柱、間柱等の躯体３、躯体３間に形成したグラスウール等の断熱材４より形成したものである。
【００１０】
５は防風透湿層（二点鎖線で示す）であり、透湿防水シート（風・雨を通さず湿気だけを通す不織布）、あるいは透湿防水板（透湿性の高いシージングボード、シージングインシュレーションボード、等）あるいは合板やＯＳＢ等よりなり、透湿性、防風性、防水性、等を有する部材より形成したものである。
【００１１】
６は通気層形成部材であり、通気層γが上下開口部と連通するように形成したものであり、例えば一定間隔で縦に形成した縦胴縁である。また、通気層γが後記する開口部（上開口７、下開口８、小屋裏通気開口９）と連通するように形成されれば一定間隔で横に形成した横胴縁でも良いものである。勿論、通気層形成部材６の替わりに、通気層γ（溝）を形成した板材を部分的あるいは全面に形成してもかまわない。通気層形成部材６の材質は、木材、金属材、プラスチック材、等である。
【００１２】
７は上開口、８は下開口、９は小屋裏通気開口であり、通気層形成部材６により形成された通気層γと連通し、屋内Ｎから通気層γに放出された室内Ｎから出た湿気を屋外Ｇに排出するための出口である。勿論、上開口７、下開口８、小屋裏通気開口９は湿気を排出するために取り入れる空気の流入口としても機能するものである。
【００１３】
上開口７は、外壁材Ａの桁部分と軒天２３間に、通気層γと連通するように形成したものであり、図では通気止縁１０により通気層γと連通した上開口７を形成したものである。
【００１４】
下開口８は外壁材Ａと土台部Ｄ間に形成するものであり、水切り２２により、通気層γと連通した下開口８を形成したものである。
【００１５】
小屋裏通気開口９は、屋内Ｎに発生した湿気を通気層γを介して小屋裏Ｋから屋外Ｇへ排出するために形成したものである。
【００１６】
通気止縁１０は図６（ａ）、（ｂ）、図７（ａ）〜（ｃ）に示すように、垂直平面状の固定面１１と、固定面１１の上端を屋内側へ略平行に突出した突出面１２と、突出面１２に一定ピッチで複数個形成した通気孔１３と、固定面１１の上端をさらに上方に突出した上面１４と、固定面１１の上端を屋外側で下方に傾斜して突出した傾斜面１５と、傾斜面１５の先端を上方に突出すると共に上面１４の上端よりも上方に突出した上片１７と、上片１７の根本に一定ピッチで複数個形成した吸・排気孔１８と、傾斜面１５の先端を下方に突出した下片１９と、上片１７と下片１９とから形成した化粧面１６と、化粧面１６の下端を屋内側で下方に傾斜して突出した傾斜化粧面２０と、傾斜化粧面２０の先端を上方に突出した受け面２１と、上面１４先端と上片１７先端間の空間Ｈから吸・排気路１４ａを形成した長尺状部材である。その素材としては金属材、あるいはプラスチック材、等よりなるものである。
【００１７】
固定面１１は通気止縁１０を下地α上に固定するための部分である。
【００１８】
突出面１２は通気孔１３を形成するための部分であり、通気孔１３の形成ピッチ、大きさを変化させることにより、通気路γ内の通気量を調整出来るようにしたものである。突出面１２の突出幅は、通気層形成部材６の厚さＴとほぼ同じ厚さである。また、突出面１２は通気層形成部材６が邪魔になってしまうために、図７（ｃ）に示すように通気層形成部材６の形成ピッチと同じ間隔Ｐで、かつ通気層形成部材６の幅と同じ幅Ｗで切り欠いて形成するものである。
【００１９】
通気孔１３は、突出面１２に一定ピッチで複数個形成し、屋内Ｎから通気層γに放出された室内Ｎから出た湿気を屋外Ｇに排出するためのものである。
【００２０】
上面１４は、上片１７先端間の空間Ｈから吸・排気路１４ａを形成するものであり、外気を取り入れる吸気路、内部の汚れた空気、湿った空気を排出する排気路として機能するものである。
【００２１】
傾斜面１５は万が一風雨が吸・排気孔１８から内部に浸入した際に、その傾斜により吸・排気孔１８から屋外Ｇに排水出来るように形成したものである。
【００２２】
上片１７は化粧面として機能すると共に、先端を軒天２３に当接する施工面として機能すると共に、空間Ｈを形成する部分でもある。
【００２３】
吸・排気孔１８は傾斜面１５の下端の上片１７の下端部分に一定間隔で複数個形成し、外気を取り入れる吸気路、内部の汚れた空気、湿った空気を排出する排気口として機能するものである。
【００２４】
下片１９と傾斜化粧面２０は化粧面として機能すると共に、外壁材Ａの上端の木口（切り口面）をカバーし、風雨から外装材Ａを守ると共に、美観性を向上するために形成したものでる。また、受け面２１は外装材Ａと面接触し一体化を強化するための部分である。
【００２５】
また、吸・排気孔１８の開口面積と、突出面１２に形成した通気孔１３の開口面積を比べた場合に、吸・排気孔１８の開口面積＞通気孔１３の開口面積となるように形成するものである。勿論、吸・排気路１４ａの開口面積＞通気孔１３の開口面積、吸・排気路１４ａの開口面積＞吸・排気孔１８の開口面積である。
【００２６】
このように形成することにより、小屋裏Ｋから流れてきた空気は、通気路γ方向ではなく通気止縁１０の方向に流れ、通気路γ内へ流れる量を抑制出来るものである。
【００２７】
Ａは断熱性を有する外壁材（以下、単に外壁材という）であり、その他機能として防火性、防水性、気密性、耐候性、等の機能を有する部材である。例えば、図８（ａ）〜（ｄ）に示すような金属製サイディング材等を使用するものである。特に、金属製サイディング材よりなる外壁材Ａは、金属製表面材Ａ１をロール成形した板材と、裏面材Ａ２間に合成樹脂発泡体（プラスチックフォーム）等の芯材Ａ３をサンドイッチした特に断熱性を有する外壁材Ａである。
【００２８】
さらに、図２（ａ）、（ｂ）を用いて本発明に係る通気壁構造の作用について説明する。つまり、図２（ａ）に示すように、空気が屋外Ｇから小屋裏Ｋへ流入する時は、小屋裏Ｋが負圧、軒天２３付近が正圧、土台部が正圧となり、外気は主として抵抗の少ない軒天２３部分の通気止縁１０から吸われ、抵抗の多い土台部Ｄ方向（通気層γ）からはあまり吸われないために通気層γの温度が変化せず、外壁材Ａの断熱性が発揮される。通常はこの状態である。
【００２９】
また、希に図２（ｂ）に示すように、空気が小屋裏Ｋから通気止縁１０から屋外Ｇへ流出する時は壁面に対して平行に風が吹くような場合、あるいはその壁面が風下になる場合であり、小屋裏Ｋよりも、軒天２３付近および地面近くの土台部の方が気圧が低くなり、空気は小屋裏Ｋから通気止縁１０を経て屋外Ｇに流れ、土台部Ｄ方向（通気層γ）から屋外Ｇに流れる量が抑制され、通気層γの温度が変化せず、外壁材Ａの断熱性が発揮されるものである。
【００３０】
このように、小屋裏Ｋへの空気の流入・流出が、通気路γへ影響せず、通気層γ内を流れる空気の量を自然対流程度に抑制出来るために、通気層γが断熱層として機能し、外壁材Ａの断熱性も発揮されるものである。なお、屋内Ｎから発生し通気層γへ流入した湿気は、通気層γの自然対流により、屋外Ｇへの空気の流出、屋内Ｎへの空気の流入に関係なく屋外Ｇへ常時排出されるものである。
【００３１】
次に、図１〜図８を用いて本発明に係る通気壁構造の施工方法について説明する。まず、内装材１、ポリエチレンシート等の防湿層２、主柱、間柱等の躯体３、躯体３間に形成したグラスウール等の断熱材４より形成した下地α上に、防風透湿層５（透湿防水シート）を形成する。
【００３２】
その後、厚さ１８ｍｍ×幅４５ｍｍ程度の通気層形成部材６を４５５ｍｍピッチで縦に複数本固定する。この時、通気層形成部材６は軒天２３形成部分よりも内側に突出するように形成すると共に、下端部分は土台部Ｄから、固定片１２の高さ分だけ隙間を形成して施工する。
【００３３】
通気層形成部材６の形成が完了したら、軒天２３を形成し、その後上開口７、下開口８が形成されるように、通気層形成部材６上に通気止縁１０、通気層形成部材６の下端に水切り２２を固定する。
【００３４】
その後、通気層形成部材６上に図８（ａ）に示すような外壁材Ａを各種役物を使用して施工し、施工を完了するものである。
【００３５】
以上説明したのは本発明に係る通気壁構造の一実施例にすぎず、図９（ａ）〜（ｃ）〜図１１に示すように形成することも出来る。
【００３６】
図９（ａ）〜（ｃ）は通気止縁１０のその他の実施例を示す説明図である。
【００３７】
図１０は、通気層形成部材６上に防水層２４（点線で示す）を形成し、通気層γ内に雨水等が浸入しないように形成したものである。例えば、アスファルトフェルト等の防水シートである。
【００３８】
図１１は図１の軒天２３部分に形成した上開口７を削除した通気壁構造であり、小屋裏Ｋと屋外Ｇ間の通気は主に軒天２３に形成した軒天通気口２５により行うように形成した通気壁構造である。
【産業上の利用可能性】
【００３９】
本発明に係る通気壁構造によれば、外壁材Ａの裏面に通気層γを形成した通気壁構造では、外壁材Ａとして断熱性の有る部材を形成しても外壁材Ａが断熱材として認められなかったが、通気層γ内を空気が微量にしか移動しないように小屋裏通気開口・上開口・下開口の３カ所の開口を壁体に形成することにより、通気層γの本来の意義である内部結露防止の効果を生かし、さらに、断熱性のある外壁材Ａの断熱効果を生むことで、外壁材Ａ裏面および壁内の温度を高く保つことが可能となり、省エネルギーと壁内結露の防止効果を高めることが出来る構造となる。これは、今までの通気構造のように、外壁材Ａの裏面と下地間の通気路を外気が移動することにより結露を防止する構造とは異なり、外気の移動を極力抑えた状態で湿気だけを外部に排出出来る構造であるために、断熱性を有する外壁材Ａの性能を有効に活用出来るものである。
【符号の説明】
【００４０】
α  下地
β  固定具
γ  通気層
Ａ  断熱性を有する外壁材
Ａ１  金属製表面材
Ａ２  裏面材
Ａ３  芯材
Ｄ  土台部
Ｇ  屋外
Ｋ  小屋裏
Ｎ  屋内
１  内装材
２  防湿層
３  躯体
４  断熱材
５  防風透湿層
６  通気層形成部材
７  上開口
８  下開口
９  小屋裏通気開口
１０  通気止縁
１１  固定面
１２  突出面
１３  通気孔
１４  上面
１４ａ  吸・排気路
１５  傾斜面
１６  化粧面
１７  上片
１８  吸・排気孔
１９  下片
２０  傾斜化粧面
２１  受け面
２２  水切り
２３  軒天
２４  防水層
２５  軒天通気口
【図１】
2010281170.tif 000003
【図２】
2010281170.tif 000004
【図３】
2010281170.tif 000005
【図４】
2010281170.tif 000006
【図５】
2010281170.tif 000007
【図６】
2010281170.tif 000008
【図７】
2010281170.tif 000009
【図８】
2010281170.tif 000010
【図９】
2010281170.tif 000011
【図１０】
2010281170.tif 000012
【図１１】
2010281170.tif 000013